(57)【要約】  【課題】  簡単な構成で、食器受具を前方に転倒させることなく滑らかに、前後移動させることができる食器洗浄機を提供する。  【解決手段】  前面側に開口部を有する洗浄槽１０と、外枠線条体２０，２０、線条体２３，…２３を交差してなる食器受具２と、洗浄槽１０の両側面壁１０ｅ，１０ｅ内側に前後方向に設けられており、食器受具２を前後方向に移動可能に支持する支持レール１０ｆ，１０ｆとを備え、洗浄槽１０に給水された水を食器受具２に載せられた食器に噴射するようにしてある食器洗浄機において、支持レール１０ｆ，１０ｆを摺動する前後方向の摺動当接部２１ａ，２２ａを有する線条体２１，２２を食器受具２の両側に備え、食器受具２が前方に傾いた場合、摺動当接部２１ａ，２２ａが当接する被当接部１０ｇ，１０ｇを洗浄槽１０の両側面壁１０ｅ，１０ｅ内側に形成する。【選択図】        図１
2006288894.tif 000002
【特許請求の範囲】
【請求項１】
前面側に開口部を有する洗浄槽と、食器受具と、前記洗浄槽の両側部内側に設けられており、前記食器受具を前後方向に移動可能に支持する支持部とを備え、前記洗浄槽内に給水された水を前記食器受具に載せた食器に噴射するように構成してある食器洗浄機において、
前記洗浄槽は、
前記支持部に支持された前記食器受具が前方に傾いた場合、前記食器受具が当接する被当接部を備える
ことを特徴とする食器洗浄機。
【請求項２】
前記被当接部は、
前記洗浄槽の前後方向の一部にあり、
前記食器受具は、
前記被当接部に当接する当接部を前後方向の一部に有する
ことを特徴とする請求項１に記載の食器洗浄機。
【請求項３】
前記当接部は、
前記洗浄槽内に前記食器受具が位置している場合、前記被当接部から前後方向に離隔している
ことを特徴とする請求項２に記載の食器洗浄機。
【請求項４】
前記食器受具は、
該食器受具の一部が前記洗浄槽外にある場合、前記被当接部に係止される部分を有する
ことを特徴とする請求項１乃至請求項３のいずれか一つに記載の食器洗浄機。
【請求項５】
前記洗浄槽は、
該洗浄槽内に前記食器受具が位置している場合、前記食器受具を係止する係止部を備える
ことを特徴とする請求項１乃至請求項４のいずれか一つに記載の食器洗浄機。
【請求項６】
前記支持部は、
前後方向に形成されたレール状をなし、前記食器受具の一部が前記洗浄槽外にある場合、前記食器受具の下側にあり、前記洗浄槽内に前記食器受具が位置している場合、前記食器受具から離隔している位置に凸部を備える
ことを特徴とする請求項１乃至請求項５のいずれか一つに記載の食器洗浄機。
【発明の詳細な説明】
【技術分野】
【０００１】
本発明は、食器洗浄機に関し、特に前面側に開口部を有する洗浄槽から食器受具を前後方向に移動させることができるように構成してある食器洗浄機に関する。
【背景技術】
【０００２】
従来の食器洗浄機は、複数の線条体を交差してなる食器受具を、前面側に開口部を有する略直方体の洗浄槽内に配置している。食器受具の両側部及び下部の線条体には凹部を有する摺動部材が嵌合固定されており、摺動部材が洗浄槽の両側部内側及び下部に設けられた支持レールを挟み、前後方向に摺動することで、食器受具は支持レールに移動可能に支持されている。
【０００３】
このように構成される食器洗浄機においては、開口部を閉塞する１枚の扉体が上下回動する構成であっても、食器受具を前方に転倒させることなく洗浄槽内から前方に移動させることができる。
【特許文献１】特開２０００‐２９６０８８号公報
【発明の開示】
【発明が解決しようとする課題】
【０００４】
しかしながら、従来の食器洗浄機は、食器受具を転倒させることなく前方に移動可能に構成するための複数の摺動部材を成形し、成形した各摺動部材を食器受具の線条体に嵌合固定しているため、摺動部材の寸法バラツキ及び摺動部材の食器受具に対する嵌合位置のバラツキによって、食器受具が支持レールに沿って滑らかに移動しない不具合が発生する虞があった。
【０００５】
本発明は、斯かる事情に鑑みてなされたものであり、支持レール上を前後方向に移動することができるように支持された食器受具が前方に傾いた場合に、食器受具が当接する被当接部を洗浄槽に備えることにより、従来の食器洗浄機に比べて食器受具の移動に関する不具合が生ずる虞が低く、食器受具を転倒させることなく前後方向に移動させることができる食器洗浄機を提供することを目的とする。
【０００６】
また、食器受具が洗浄槽の被当接部に当接する当接部を、前後方向の一部に有することにより、食器受具の当接部が洗浄槽の被当接部に当接しない位置まで食器受具を移動させて、食器受具を洗浄槽に着脱することができる食器洗浄機を提供することを他の目的とする。
【０００７】
更に、洗浄槽内に食器受具が位置している場合、食器受具の当接部が洗浄槽の被当接部と前後方向に離隔するように構成することにより、食器受具が洗浄槽内に位置している状態で、食器受具を洗浄槽に着脱することができる食器洗浄機を提供することを他の目的とする。
【０００８】
更にまた、食器受具の一部が洗浄槽外にある場合、洗浄槽の被係止部に係止される部分を食器受具に備えることにより、食器受具が前方に移動して洗浄槽から脱落することを防止することができる食器洗浄機を提供することを他の目的とする。
【０００９】
更にまた、食器受具が洗浄槽内に位置している場合、食器受具を係止する係止部を洗浄槽に備えることにより、該係止部を備えない場合に比べて、食器受具をより安定した状態で洗浄槽内に配置することができる食器洗浄機を提供することを他の目的とする。
【００１０】
更にまた、食器受具の一部が洗浄槽外にある場合、食器受具の下側にあり、洗浄槽内に食器受具が位置している場合、食器受具から離隔している位置に凸部を備えることにより、食器受具を洗浄槽内に移動させた使用者に、食器受具を洗浄槽内に移動させた感覚を与えることができる食器洗浄機を提供することを他の目的とする。
【課題を解決するための手段】
【００１１】
本発明に係る食器洗浄機は、前面側に開口部を有する洗浄槽と、食器受具と、前記洗浄槽の両側部内側に設けられており、前記食器受具を前後方向に移動可能に支持する支持部とを備え、前記洗浄槽内に給水された水を前記食器受具に載せた食器に噴射するように構成してある食器洗浄機において、前記洗浄槽は、前記支持部に支持された前記食器受具が前方に傾いた場合、前記食器受具が当接する被当接部を備えることを特徴とする。
【００１２】
本発明にあっては、支持部に支持された食器受具が前後方向に移動する場合、食器受具は開口部から洗浄槽の内外に移動する。食器受具が前方に移動して食器受具の重心が支持部上から外れた場合、洗浄槽は前方に傾くが、食器受具が洗浄槽の被当接部に当接するため、食器受具は前方に転倒しない。
【００１３】
本発明に係る食器洗浄機は、前記被当接部が、前記洗浄槽の前後方向の一部にあり、前記食器受具は、前記被当接部に当接する当接部を前後方向の一部に有することを特徴とする。
【００１４】
本発明にあっては、食器受具が洗浄槽の被当接部に当接する当接部を、前後方向の一部に有しており、洗浄槽の被当接部は、洗浄槽の前後方向の一部にある。従って、食器受具を所定の位置まで前後方向に移動させた場合、食器受具の当接部は、洗浄槽の被当接部から前後方向に離隔する。当接部が被当接部から離隔した状態で食器受具を上方に移動させた場合、食器受具は洗浄槽から取外される。また、取外された食器受具を、食器受具の当接部と洗浄槽の被当接部とが前後方向に離隔している状態で、下方に移動させた場合、食器受具は洗浄槽に取付けられる。
【００１５】
本発明に係る食器洗浄機は、前記当接部が、前記洗浄槽内に前記食器受具が位置している場合、前記被当接部から前後方向に離隔していることを特徴とする。
【００１６】
本発明にあっては、洗浄槽内に食器受具が位置している場合、食器受具の当接部は、洗浄槽の被当接部から前後方向に離隔する。従って、洗浄槽内に食器受具が位置している状態で、食器受具を上下に移動させた場合、食器受具は、洗浄槽から着脱される。
【００１７】
本発明に係る食器洗浄機は、前記食器受具が、該食器受具の一部が前記洗浄槽外にある場合、前記被当接部に係止される部分を有することを特徴とする。
【００１８】
本発明にあっては、洗浄槽内にある食器受具が前方に移動して、食器受具の一部が洗浄槽外にある場合、食器受具は、洗浄槽の被当接部に係止される。従って、食器受具は、前方に移動して支持部から脱落することはない。
【００１９】
本発明に係る食器洗浄機は、前記洗浄槽が、該洗浄槽内に前記食器受具が位置している場合、前記食器受具を係止する係止部を備えることを特徴とする。
【００２０】
本発明にあっては、食器受具が洗浄槽内に位置している場合、食器受具は洗浄槽の係止部に係止される。従って、食器受具を洗浄槽内により安定した状態で配置することができる。
【００２１】
本発明に係る食器洗浄機は、前記支持部が、前後方向に形成されたレール状をなし、前記食器受具の一部が前記洗浄槽外にある場合、前記食器受具の下側にあり、前記洗浄槽内に前記食器受具が位置している場合、前記食器受具から離隔している位置に凸部を備えることを特徴とする。
【００２２】
本発明にあっては、食器受具の一部が洗浄槽外にある場合、食器受具は、レール状の支持部に備えられた凸部の上にある。そして、洗浄槽外に位置している食器受具を洗浄槽内へ後方に移動させた場合、食器受具は凸部から離隔する。つまり、凸部に乗り上げていた食器受具が凸部から落ち、食器受具が震動する。
【発明の効果】
【００２３】
本発明によれば、従来の食器洗浄機に比べて食器受具の移動に関する不具合が生ずる虞が低く、食器受具を転倒させることなく前後方向に移動させることができる。また、被当接部と洗浄槽とを一体成形した場合、洗浄槽及び食器受具に加えて従来の食器洗浄機が備えるような摺動部材を必要とせず、摺動部材を成形し、摺動部材を食器受具に嵌合固定させる工程も不要となるため、従来の食器洗浄機に比べて、部品点数及び製造工数を少なくし、コストを削減することができる。
【００２４】
本発明によれば、食器受具の当接部が洗浄槽の被当接部に当接しない位置まで食器受具を移動させて、食器受具を洗浄槽に着脱することができる。また、従来の食器洗浄機、即ち洗浄槽の前方から、支持レールに摺動部材の凹部を嵌めるようにして食器受具を取付ける構成の食器洗浄機に比べて、食器受具を簡易に取付けることができる。
【００２５】
本発明によれば、食器受具が洗浄槽内に位置している状態で、食器受具を洗浄槽に着脱することができる。
【００２６】
本発明によれば、食器受具の転倒を防止するための被当接部によって、食器受具が前方に移動して脱落することを防止することができる。
【００２７】
本発明によれば、係止部を備えない場合に比べて、食器受具をより安定した状態で洗浄槽内に配置することができる。
【００２８】
本発明によれば、食器受具を洗浄槽内に移動させた使用者に、食器受具を洗浄槽内に移動させた感覚、即ち収容感を与えることができる。
【発明を実施するための最良の形態】
【００２９】
以下、本発明をその実施の形態を示す図面に基づいて詳述する。
図１及び図２は、本発明の実施の形態に係る食器洗浄機の略示斜視図、図３は、食器洗浄機の略示側断面図、図４は、図３のIV−IV線断面図である。図中１は、流し台に設置される底板部１ｂ及び底板部１ｂに略平行な天板部１ａを備えた略直方体形状の筐体であり、筐体１は、略直方体の洗浄槽１０を内部に備えている。筐体１及び洗浄槽１０は、食器を出し入れするための開口部を正面側に有している。また、筐体１は、正面側の下部に、食器の洗浄を開始及び停止させるための操作パネル１１を備えている。
【００３０】
洗浄槽１０は、平面視で略矩形の底面部１０ａを有しており、底面部１０ａは、筐体１の底板部１ｂに対して略平行に配置されている。底面部１０ａには、上方へ水を噴射する洗浄ノズル３，３が横方向に並設されている（図４参照）。洗浄ノズル３，３は、洗浄水を供給する洗浄ポンプ４に接続されており、洗浄ポンプ４は、洗浄槽１０の下側、洗浄槽１０と筐体１との間に配置されている。底面部１０ａの周縁部分には、背面壁１０ｃ、及び両側面壁１０ｅ，１０ｅが底面部１０ａに対して略垂直に形成されており、背面壁１０ｃ及び両側面壁１０ｅ，１０ｅの上端部分には、底板部１ｂに略平行な天面部１０ｄが形成されている。両側面壁１０ｅ，１０ｅの正面縁部は、上側にて背面側に湾曲している。また、底面部１０ａの前端部には、洗浄ノズル３，３から噴射された水を受けて洗浄槽１０の底部分で溜めるために必要な高さを有する正面壁１０ｂが底面部１０ａに対して略垂直に形成されている。
【００３１】
洗浄槽１０は、食器を洗浄する際に開口部を閉塞するために、洗浄槽１０の側面壁１０ｅ，１０ｅの正面側縁部にならうように形成された扉体５を、２本の支持アーム６で上下回動可能に支持している。支持アーム６は、横方向に薄く形成されており、各支持アーム６の一端は、開口部を閉塞した状態で、扉体５の側部の上下方向略中央部に接続され、他端は両側面壁１０ｅ，１０ｅに枢支されている。扉体５の正面側、横方向略中央部の下側部分には、扉体５を上下回動させるためのノブ５０が設けられている。
【００３２】
洗浄槽１０は、複数の線条体を交差してなる略直方体の食器受具２を内部に配置している。食器受具２は、平面視で略長方形の外枠線条体２０，２０を略平行に上下２つ備え、外枠線条体２０，２０の内側には、前後方向及び横方向に交差して食器受具２の底部分を構成し、両端側で上方へ屈曲した線条体２３，…，２３が外枠線条体２０，２０に直交した部分で溶着されている。線条体２３，…，２３の直径及び交差した線条体２３，…，２３間の間隔は、食器を載せ、食器に洗浄ノズル３，３から水を吹き付けることができるような長さである。食器受具２の横方向及び前後方向長さは、洗浄槽１０の横方向及び前後方向の長さと同程度、つまり食器受具２の外枠線条体２０，２０を洗浄槽１０の底面部１０ａに対して略平行にしたまま、食器受具２が開口部から洗浄槽１０内に遊嵌する長さを有している。また、食器受具２の上下の高さは、洗浄する食器を載せるために必要な高さを有している。
【００３３】
洗浄槽１０の側面壁１０ｅ，１０ｅ内側、正面壁１０ｂの上端よりも上側の部分には、食器受具２を下側から支持する段面を有する段状の支持レール１０ｆ，１０ｆが前後方向に、洗浄槽１０と一体成形されている。段面は底板部１ｂに対して略平行であり、洗浄槽１０の両側面壁１０ｅ，１０ｅ間の横幅は、段面より下側で食器受具２の横方向長さより短い。
【００３４】
また、食器受具２は、上側の外枠線条体２０の両側部外側の前部に、縦方向の上端が直交して溶着している線条体２１，２２を夫々備えている。線条体２１，２２は、線条体２３，…２３の下方で下部が後側に屈曲していて、長手方向が洗浄槽１０の前後方向であり、支持レール１０ｆ，１０ｆの段面上を前後方向に摺動する摺動当接部２１ａ，２２ａを形成している。なお、図３乃至図９では、作図の便宜上、食器受具２が備える線条体２３，…，２３、外枠線条体２０，２０の一部を省略している。
【００３５】
図５は、食器洗浄機の要部を示す部分正面断面図である。洗浄槽１０の側面壁１０ｅ，１０ｅには、支持レール１０ｆ，１０ｆの上側、前後方向略中央部に、線条体２１，２２の摺動当接部２１ａ，２２ａが下側から当接する被当接部１０ｇ，１０ｇが曲成されている。被当接部１０ｇ，１０ｇは、正面視で、洗浄槽１０の側面壁１０ｅ，１０ｅから横方向内側に突出した略矩形状であり、横方向長さは、線条体２１，２２が洗浄槽１０の横方向内側に移動して被当接部１０ｇ，１０ｇから脱離しない長さ、例えば線条体２１，２２の直径の３〜４倍の長さである。被当接部１０ｇ，１０ｇの上下方向及び前後方向の長さは、食器を載せた食器受具２の転倒を防止するために必要な長さ、つまり食器受具２の荷重に耐えることができる長さである。被当接部１０ｇ，１０ｇと支持レール１０ｆ，１０ｆとの上下方向の間隔は、線条体２１，２２の直径より長く、線条体２１，２２の摺動当接部２１ａ，２２ａが被当接部１０ｇ，１０ｇと支持レール１０ｆ，１０ｆとの間に遊嵌する長さである。
【００３６】
また支持レール１０ｆ，１０ｆの段面の前側の部位、特に食器受具２が洗浄槽１０内に位置している状態で摺動当接部２１ａ，２２ａの前側に離隔している部位には、図２に示すように、線条体２１，２２の直径よりも上下方向の高さが低い凸部１０ｉ，１０ｉが形成されている。食器受具２が後方に移動して、凸部１０ｉ，１０ｉを摺動当接部２１ａ，２２ａが通過した場合、摺動当接部２１ａ，２２ａ及び食器受具２は上下し、食器受具２が震動する。
【００３７】
線条体２１，２２は、食器受具２の前後方向略中央部で、洗浄槽１０の横方向内側に凸状に曲がり、被当接部１０ｇ，１０ｇを着脱する着脱部２１ｂ，２２ｂを形成している。つまり、着脱部２１ｂ，２２ｂは、横方向長さが被当接部１０ｇ，１０ｇの横方向長さよりも長く、前後方向長さが被当接部１０ｇ，１０ｇの前後方向長さよりも長く形成された凸状部分である。
【００３８】
また、線条体２１，２２は、着脱部２１ｂ，２２ｂの後側で上方に曲がり長手方向が縦向きの被係止部２１ｃ，２２ｃを形成している。被係止部２１ｃ，２２ｃの上端は、食器受具２の上側の外枠線条体２０に交差し、被係止部２１ｃ，２２ｃの一部は、下側の外枠線条体２０に交差した状態で溶着されている。食器受具２が前方に移動した場合、被係止部２１ｃ，２２ｃは被当接部１０ｇ，１０ｇに係止される。
【００３９】
また、洗浄槽１０の背面壁１０ｃには、前方に突出しており、支持レール１０ｆ，１０ｆに支持された食器受具２の上側の外枠線条体２０を上側から係止する係止部１０ｈ，１０ｈが、横方向に２つ適宜間隔を空けて並設されている。食器受具２を後方に移動させた場合、食器受具２の外枠線条体２０は、係止部１０ｈ，１０ｈに係止される。係止部１０ｈ，１０ｈは、正面視が略矩形状であり、前後方向長さは、食器受具２の着脱の妨げにならない長さ、つまり線条体２１，２２の着脱部２１ｂ，２２ｂ及び洗浄槽１０の被当接部１０ｇ，１０ｇの前後方向の位置を合わせた場合、外枠線条体２０が係止部１０ｈ，１０ｈから離隔しているような長さである。また、係止部１０ｈ，１０ｈの横方向、及び上下方向長さは夫々外枠線条体２０，２０の直径の数倍である。
【００４０】
実施の形態に係る食器洗浄機の作用及び効果を説明する。図６は、食器受具２の一部を洗浄槽１０外に移動させた状態での食器洗浄機の略示側断面図、図７は、図６のVII−VII線断面図である。図３及び図４に示す状態の食器受具２が、前方向に引っ張られた場合、摺動当接部２１ａ，２２ａが支持レール１０ｆ，１０ｆ上を前方に摺動して、食器受具２は洗浄槽１０外に移動する。また、食器受具２が、後方向に押された場合、食器受具２は洗浄槽１０内に移動する。前方に移動した食器受具２が支持レール１０ｆ，１０ｆの前方に傾いた場合、食器受具２の摺動当接部２１ａ，２２ａが洗浄槽１０の被当接部１０ｇ，１０ｇに当接する。従って、食器受具２の転倒を防止することができる。
【００４１】
また、食器受具２は、支持レール１０ｆ，１０ｆ上に支持された状態で前後方向に移動し、食器受具２の転倒は、支持レール１０ｆ，１０ｆの上側に形成された被当接部１０ｇ，１０ｇで防止するように構成しているため、従来の食器洗浄機に比べて、寸法バラツキによる食器受具２の移動に関する不具合が生ずる虞が低く、滑らかに食器受具２を前後方向に移動させることができる。
【００４２】
更に、図３及び図４に示すように、食器受具２を洗浄槽１０の後方へ移動させた場合、食器受具２の外枠線条体２０は、係止部１０ｈ，１０ｈに係止される。従って、食器受具２を安定した状態で洗浄槽１０内に配置することができる。
【００４３】
更にまた、図６及び図７に示すように、線条体２１，２２の被係止部２１ｃ，２２ｃが被当接部１０ｇ，１０ｇに係止されるまで食器受具２を前方に移動させた場合、食器受具２の前方への移動は規制される。従って、食器受具２が前方に移動して、洗浄槽１０から脱落することを防止することができる。
【００４４】
更にまた、食器受具２の転倒を防止する被係止部２１ｃ，２２ｃにより、食器受具２の脱落を防止しているため、食器受具２の脱落を防止するための部材を別に備える食器洗浄機に比べて、部品点数が少なく、より低コストで食器洗浄機を製造することができる。
【００４５】
図８は、食器受具２を着脱可能な位置まで移動させた状態の食器洗浄機の略示側断面図、図９は、図８のIX−IX線断面図である。線条体２１，２２の着脱部２１ｂ，２２ｂ及び被当接部１０ｇ，１０ｇの前後方向の位置を合わせた状態で食器受具２を上方へ持ち上げた場合、被当接部１０ｇ，１０ｇが着脱部２１ｂ，２２ｂを嵌通するため、食器受具２は洗浄槽１０から取外される。また、着脱部２１ｂ，２２ｂ及び被当接部１０ｇ，１０ｇの前後方向の位置を合わせた状態で、着脱部２１ｂ，２２ｂを被当接部１０ｇ，１０ｇに嵌め込む場合、外れた食器受具２は洗浄槽１０に取付けられる。
【００４６】
被当接部１０ｇ，１０ｇは洗浄槽１０の前後方向略中央部に設けられ、着脱部２１ｂ，２２ｂは食器受具２の前後方向略中央部に形成されているため、被当接部１０ｇ，１０ｇが着脱部２１ｂ，２２ｂを嵌通する位置にある場合、食器受具２は、支持レール１０ｆ，１０ｆの前後で支持されて、洗浄槽１０内に配置される。従って、被当接部１０ｇ，１０ｇが着脱部２１ｂ，２２ｂを嵌通し、不意に食器受具２が洗浄槽１０から外れて脱落する虞はなく、食器受具２が洗浄槽１０内に位置している状態で、食器受具２を洗浄槽１０から取外し、また取付けることができる。
【００４７】
また、洗浄槽１０の外部に移動した食器受具２を図３及び図４に示すように、後方に移動させた場合、線条体２１，２２の摺動当接部２１ａ，２２ａが支持レール１０ｆ，１０ｆに形成された凸部１０ｉ，１０ｉを通過したとき、摺動当接部２１ａ，２２ａ及び食器受具２は上下して震動する。従って、食器受具２を洗浄槽１０内に移動させた場合に食器受具２から伝わる震動によって、使用者に洗浄槽１０内に食器受具２を移動させた感覚を与えることができる。
【００４８】
更に、被当接部１０ｇ，１０ｇと洗浄槽１０とを一体成形しており、食器受具２の摺動当接部２１ａ，２２ａ及び被係止部２１ｃ，２２ｃを、線条体２１，２２から構成しているため、従来の食器洗浄機に比べて部品点数及び製造工数が少なく、低コストで食器洗浄機を製造することができる。
【００４９】
なお、実施の形態１に係る食器洗浄機は、外枠線条体、及び線条体を溶着してなる食器受具を備えているが、一部又は全部が一体成形された食器受具を備えるように構成しても良い。一部又は全部を一体成形した場合、実施の形態１に係る食器洗浄機に比べて、より低コストで食器洗浄機を構成することができる。
【００５０】
また、被当接部と洗浄槽とを一体成形しているが、被当接部及び洗浄槽を別体で構成しても良い。
【図面の簡単な説明】
【００５１】
【図１】本発明の実施の形態に係る食器洗浄機の略示斜視図である。
【図２】本発明の実施の形態に係る食器洗浄機の略示斜視図である。
【図３】食器洗浄機の略示側断面図である。
【図４】図３のIV−IV線断面図である。
【図５】食器洗浄機の要部を示す部分正面断面図である。
【図６】食器受具の一部を洗浄槽外に移動させた状態での食器洗浄機の略示側断面図である。
【図７】図６のVII−VII線断面図である。
【図８】食器受具を着脱可能な位置まで移動させた状態の食器洗浄機の略示側断面図である。
【図９】図８のIX−IX線断面図である。
【符号の説明】
【００５２】
１  筐体
２  食器受具
３，３  洗浄ノズル
４  洗浄ポンプ
５  扉体
６  支持腕
１０  洗浄槽
１０ｅ，１０ｅ  側面壁
１０ｆ，１０ｆ  支持レール
１０ｇ，１０ｇ  被当接部
１０ｈ，１０ｈ  係止部
１０ｉ，１０ｉ  凸部
２０，２０  外枠線条体
２１，２２  線条体
２１ａ，２２ａ  摺動当接部
２１ｂ，２２ｂ  着脱部
２１ｃ，２２ｃ  被係止部
【図１】
2006288894.tif 000003
【図２】
2006288894.tif 000004
【図３】
2006288894.tif 000005
【図４】
2006288894.tif 000006
【図５】
2006288894.tif 000007
【図６】
2006288894.tif 000008
【図７】
2006288894.tif 000009
【図８】
2006288894.tif 000010
【図９】
2006288894.tif 000011